(57)【要約】【課題】天井裏足場を支持するための予備的又は付加的なナットを備えていない既存建築物の天井吊りボルトによって、天井裏足場を迅速且つ安定的に支持することができる天井裏足場の仮設支持装置を提供する。【解決手段】仮設支持装置(4)は、枢動部(63)によって枢動可能且つ開閉可能に連結した左右の係留部(61,62)からなる係留具(6)と、少なくとも一方の係留部に取付けられ、足場板支持用の横架材(3)を解放可能に保持する保持具(5)とを有する。各係留部の枢動方向内側には、天井吊りボルト(25)の雄螺子に適合する雌螺子半部(70,80)が一体的に形成され、左右の係留部の雌螺子半部は、係留部を枢動部によって閉じた状態において、実質的に吊りボルトの全周に亘って吊りボルトに螺着する雌螺子を協働して形成する。【選択図】図６
2018066118.tif 000002
【特許請求の範囲】
【請求項１】
天井構造体を構成する天井吊りボルトによって天井裏足場を支持するための天井裏足場の仮設支持装置において、
枢動手段によって枢動可能に相互連結した左右の係留部からなる開閉可能な係留具と、
少なくとも一方の前記係留部に取付けられ、足場板支持用の横架材を解放可能に保持する保持具とを有し、
各々の前記係留部の枢動方向内側には、天井吊りボルトの雄螺子に適合する雌螺子半部が一体的に形成され、
左右の係留部の雌螺子半部は、該係留部を前記枢動手段によって閉じた状態において、実質的に前記吊りボルトの全周に亘って該吊りボルトに螺着する雌螺子を協働して形成し、
前記保持具は、天井吊りボルト廻りの回転運動を前記横架材及び保持具の一体化によって拘束又は阻止されるとともに、前記雌螺子半部及び天井吊りボルトの螺合によって前記天井吊りボルトに支持されることを特徴とする天井裏足場の仮設支持装置。
【請求項２】
前記保持具は、単管足場用の緊締具からなり、前記横架材は、単管足場用の単管パイプであることを特徴とする請求項１に記載の仮設支持装置。
【請求項３】
前記係留部は、鉛直方向に延びる金属板の上縁及び下縁を枢動方向内側に屈曲し又は折曲げた箱形又は筐体形の金属部材からなり、前記枢動手段は、前記金属部材を枢動可能又は回動可能に支持又は支承する枢軸又は回動中心軸、或いは、前記金属部材を枢動可能に連結するヒンジ部材又は蝶番を有することを特徴とする請求項１又は２に記載の仮設支持装置。
【請求項４】
枢動方向に前記金属部材を付勢し又は押圧する付勢手段と、前記係留部を閉鎖位置に拘束する閉鎖位置保持手段とを有することを特徴とする請求項３に記載の仮設支持装置。
【請求項５】
前記保持具を取付けた前記金属部材の上縁及び下縁は夫々、保持具を取付けられていない前記金属部材の上縁及び下縁の上に重なって接触し、前記保持具の荷重が、前記上縁及び下縁を介して左右の金属部材に分散することを特徴とする請求項３又は４に記載の仮設支持装置。
【請求項６】
左右の係留部の双方に前記保持具が取付けられたことを特徴とする請求項１乃至４のいずれか１項に記載の仮設支持装置。
【請求項７】
請求項１乃至６のいずれか１項に記載された仮設支持装置を使用した天井裏足場の構築方法であって、
前記係留部を開放して前記雌螺子半部が吊りボルトに対向するように係留具を位置決めした後、係留部を閉鎖して雌螺子半部を吊りボルトの外螺子に螺合せしめ、
前記保持具によって前記横架材を保持し、
両端部、或いは、間隔を隔てた二カ所又は二部分を前記保持具によって支持された前記横架材によって前記足場板を天井裏空間に懸架し、天井裏空間に足場を形成することを特徴とする天井裏足場の構築方法。
【発明の詳細な説明】
【技術分野】
【０００１】
本発明は、天井裏足場の仮設支持装置に関するものであり、より詳細には、既存建築物等の建築物の天井裏空間に工事用足場等の足場を天井吊りボルトによって支持するための天井裏足場の仮設支持装置に関するものである。
【背景技術】
【０００２】
大規模地震時に発生し得る天井構造体の落下事故等が建築業界において近年殊に注目されており、既存構造物等の天井構造体の落下又は脱落を防止する対策として、天井構造体を耐震補強する耐震補強工事の必要性が多くの建築物等において認識されている。一般に、天井構造体は、建築物の上階床版、上階床組、梁、屋根構造体等から垂下する天井吊りボルトの下部に軽量鉄骨製又は木製の野縁等を支承し、野縁の下面に石膏ボード等のボード建材を固定した構造を有する。
【０００３】
天井構造体を耐震補強する耐震補強工事においては、例えば、隣り合う天井吊りボルトを補強用の鋼製ブレース（斜材）によって架橋し、天井構造体の全体的耐震性を向上させる。このような工事においては、作業者等が天井裏空間において作業を実施する必要があるので、通常は、天井裏空間に作業用仮設足場（天井裏足場）を仮設しなければならない。
【０００４】
この種の天井裏足場として、例えば、天井吊りボルトに螺着した鋼製ナットに対して足場支持金具を係止し、足場支持金具によって足場支持部材を支承し、足場板を足場支持部材によって支持する支持構造を備えた天井裏足場が、特許第５３７４０７０号公報及び特許第５３１９４２６号公報（特許文献１及び２）に記載されている。
【０００５】
また、足場支持構造に関するものではないが、天井吊りボルトを用いた仮設支持方式の一種として、本出願人の一者が出願した特願２００５−３３５２５７号に係る特許第４７８１０９０号公報には、安全帯を天井吊りボルト等に係止するためのフック保持装置が記載されている。フック保持装置は、このフック保持装置は、天井吊りボルトに作業者等の安全帯のフックを係留するためのものである。フック保持装置は、一対の開閉板を有し、各開閉板には、雌螺子を分割した係止部が形成される。開閉板には、安全帯のフックを掛止可能なリング部が取付けられる。このフック保持装置においては、左右の開閉板を閉じて係止部を天井吊りボルトに係止すると、各開閉板の係止部を天井吊りボルトに係留することができる。作業者等は、安全帯のフックをリング部に掛止することにより、安全帯を天井吊りボルトに係留することができる。
【先行技術文献】
【特許文献】
【０００６】
【特許文献１】特許第５３７４０７０号公報
【特許文献２】特許第５３１９４２６号公報
【特許文献３】特許第４７８１０９０号公報
【発明の開示】
【発明が解決しようとする課題】
【０００７】
特許文献１及び２に記載された天井裏足場の支持構造では、足場支持金具を係止するための予備的又は付加的な鋼製ナットを天井構造体の新設時に予め天井吊りボルトに螺着しておかなければならない。しかし、既存建築物の天井構造体は、通常は、このような予備的又は付加的な鋼製ナットを備えていない。このため、この種の鋼製ナットを備えてない既存建築物の天井構造体に天井裏足場を仮設する場合、特許文献１及び２に記載された支持構造を使用することはできない。
【０００８】
これに対し、特許文献３に記載されたフック保持装置は、予備的又は付加的な鋼製ナットを要しない。しかし、フック保持装置は、安全帯に作用するにすぎない作業者の自重を支持する簡易な構造のものであり、天井裏足場のような比較的大きな重量を支持することはできない。また、フック保持装置は、天井吊りボルトの雄螺子上で自由回転又は遊動回転する構造を有するので、天井裏足場を所定位置に固定する手段としては、使用し難い構成のものである。
【０００９】
本発明は、このような事情に鑑みてなされたものであり、その目的とするところは、天井裏足場を支持するための予備的又は付加的なナットを備えていない既存建築物の天井吊りボルトによって、天井裏足場を迅速且つ安定的に支持することができる天井裏足場の仮設支持装置を提供することにある。
【課題を解決するための手段】
【００１０】
本発明は、上記目的を達成すべく、天井構造体を構成する天井吊りボルトによって天井裏足場を支持するための天井裏足場の仮設支持装置において、
枢動手段によって枢動可能に相互連結した左右の係留部からなる開閉可能な係留具と、
少なくとも一方の前記係留部に取付けられ、足場板支持用の横架材を解放可能に保持する保持具とを有し、
各々の前記係留部の枢動方向内側には、天井吊りボルトの雄螺子に適合する雌螺子半部が一体的に形成され、
左右の係留部の雌螺子半部は、該係留部を前記枢動手段によって閉じた状態において、実質的に前記吊りボルトの全周に亘って該吊りボルトに螺着する雌螺子を協働して形成し、
前記保持具は、天井吊りボルト廻りの回転運動を前記横架材及び保持具の一体化によって拘束又は阻止されるとともに、前記雌螺子半部及び天井吊りボルトの螺合によって前記天井吊りボルトに支持されることを特徴とする天井裏足場の仮設支持装置を提供する。
【００１１】
本発明の上記構成によれば、左右の係留部を閉じることにより、実質的に吊りボルトの全周に亘って吊りボルトに螺着する雌螺子が形成される。天井吊り足場及び横架材の荷重（以下、「足場荷重」という。）は、保持具を介して係留具の雌螺子半部に伝達する。雌螺子半部は、実質的に吊りボルトの全周に亘って吊りボルトに螺着する雌螺子を構成するので、係留具は、ナットと同様、足場荷重を天井吊りボルトに確実に伝達し、従って、天井吊りボルトは、足場荷重を確実に支持することができる。また、保持具の自由回転又は遊動回転は、横架材及び保持具の一体化によって拘束又は阻止されるので、雌螺子が雄螺子に対して回転する虞はなく、従って、仮設支持装置の位置は、安定する。
【００１２】
このような構成の仮設支持装置は、天井吊りボルトに螺着した予備的又は付加的なナットを要しない。しかも、左右の係留具を開放した係留具を天井吊りボルトの所望の位置に位置決めして係留具を閉じることにより、係留具を天井吊りボルトに螺着することができるので、極めて迅速且つ簡単に係留具を天井吊りボルトに取付けることができる。
【００１３】
本発明者等の実験によれば、このような構成の仮設支持装置により、天井裏足場を支持する十分な支持力が得られることが判明した。
【００１４】
他の観点より、本発明は、上記構成の仮設支持装置を使用した天井裏足場の構築方法であって、
前記係留部を開放して前記雌螺子半部が吊りボルトに対向するように係留具を位置決めした後、係留部を閉鎖して雌螺子半部を吊りボルトの外螺子に螺合せしめ、
前記保持具によって前記横架材を保持し、
両端部、或いは、間隔を隔てた二カ所又は二部分を前記保持具によって支持された前記横架材によって前記足場板を天井裏空間に懸架し、天井裏空間に足場を形成することを特徴とする天井裏足場の構築方法を提供する。
【発明の効果】
【００１５】
本発明によれば、天井裏足場を支持するための予備的又は付加的なナットを備えていない既存建築物の天井吊りボルトによって、天井裏足場を迅速且つ安定的に支持することができる天井裏足場の仮設支持装置を提供することができる。
【図面の簡単な説明】
【００１６】
【図１】図１は、既存の鋼構造建築物に設けられた天井構造体の全体構成を示す斜視図である。
【図２】図２は、梁と平行な方向に切断した天井構造体の縦断面図ある。
【図３】図３は、梁と直交する方向に切断した天井構造体の縦断面図ある。
【図４】図４（Ａ）〜図４（Ｄ）は、仮設支持装置の構造を示す正面図、背面図、平面図及び底面図である。図４（Ａ）及び図４（Ｂ）において、クランプ（保持具）の図示は、省略されている。
【図５】図５（Ａ）〜図５（Ｄ）は、図４及び図５のＩ−Ｉ線、II−II線、III−III線及びIV−IV線における断面図であり、図５（Ｅ）及び図５（Ｆ）は、仮設支持装置４の右側面図及び左側面図である。図５の各図において、クランプ（保持具）の図示は、省略されている。
【図６】図６（Ａ）〜図６（Ｃ）は、仮設支持装置を天井吊りボルトに係合する過程を示す横断面図である。
【図７】図７（Ａ）〜図７（Ｃ）は、仮設支持装置が天井吊りボルトに係合した状態を示す縦断面図及び平面図である。
【図８】図８は、仮設支持装置の構造と関連した足場荷重伝達経路の相違を示す仮設支持装置の概略断面図である。
【発明を実施するための形態】
【００１７】
本発明の好適な実施形態によれば、左右の係留部の双方に上記保持具が取付けられる。好ましくは、上記保持具は、単管足場用の緊締具（クランプ）からなり、上記横架材は、単管足場用の単管パイプである。
【００１８】
好適には、上記係留部は、鉛直方向に延びる金属板の上縁及び下縁を枢動方向内側（閉鎖側）に屈曲し又は折曲げた箱形又は筐体形の金属部材からなり、上記枢動手段は、係留部を枢動可能又は回動可能に支持又は支承する枢軸又は回動中心軸、或いは、左右の金属部材を枢動可能に連結するヒンジ部材又は蝶番（丁番）からなる。更に好適には、保持具を取付けた金属部材の上縁及び下縁（屈曲部又は折曲げ部）は、保持具を取付けられていない金属部材の上縁及び下縁（屈曲部又は折曲げ部）の上に重なり且つ接触するように配置され、保持具の荷重は、これらの縁部を介して左右の金属部材に均等に分散する。
【００１９】
好適には、枢動方向内側（閉鎖側）又は外側（開放側）に金属部材を付勢し又は押圧する付勢手段と、上記係留具の閉鎖位置を維持するように左右の係留部を互いに拘束する閉鎖位置保持手段とを有する。付勢手段は、係留部の開放（又は閉鎖）運動を規制又は制限するように係留部を付勢する。
【実施例】
【００２０】
図１は、既存の鋼構造建築物に設けられた天井構造体の全体構成を示す斜視図である。図２は、梁と平行な方向に切断した天井構造体の縦断面図あり、図３は、梁と直交する方向に切断した天井構造体の縦断面図ある。
【００２１】
天井構造体２０は、２層の面材３１、３２を鋼製下地２１〜２７の下面に固定した構造を有する。鋼製下地は、軽量鉄骨製の野縁２１、クリップ２２、野縁受け２３及びハンガー２４を有する。ハンガー２４は、鋼製吊りボルト２５及び鋼製フック２６によって鋼製水平部材２７に懸吊される。鋼製吊りボルト２５は、全長に亘って雄螺子を形成した所謂全螺子ボルトである。
【００２２】
野縁２１は、約４５０mm〜約６００mm間隔を隔てて配置される。所望により、振れ止め材等の金属部材（図示せず）が鋼製下地の適所に配置される。鋼製水平部材２７は、チャンネル形鋼、溝形鋼等の形鋼からなり、鋼構造の梁２９の下面に固定された棒鋼、鋼製バー材等の鋼製支持具２８（図２及び図３）を介して梁２９の下側に固定される。梁２９は、鋼構造の柱３０（図２及び図３）によって支持される。
【００２３】
２層の面材として、下張り面材３１及び上張り面材３２がビス、ステープル、接着剤等の固定具又は固定手段によって野縁２１の下面に固定される。面材２７、２８として、板厚９．５〜１５mm程度の石膏ボード、珪酸カルシウム板等を好適に使用し得る。下張り面材３１の上側には、天井裏空間Ｓが形成され、上張り面材３２の下側には、室内空間Ｒが形成される。
【００２４】
天井裏足場１が、天井裏空間Ｓに仮設される。天井裏足場１は、天井構造体を耐震補強する耐震補強工事等において、作業者等が天井裏空間Ｓで作業し、或いは、天井裏空間Ｓ内を移動するための作業用足場を構成する。天井裏足場１は、鋼製又は木製の足場板２と、足場板２を敷設可能な横架材３と、横架材３を天井吊りボルト２５によって支持するための仮設支持装置４とから構成される。仮設支持装置４は、横架材３を支持する保持具５と、天井吊りボルト２５に係止する係留具６とから構成される。
【００２５】
足場板２は、例えば、木製足場板、或いは、枠組足場用の鋼製踏板からなり、横架材３は、例えば、単管足場で使用される単管パイプからなる。保持具５は、単管足場で使用される仮設工事用の緊締具（一般にクランプ又はクランプ部材と呼ばれる。）からなる。横架材３は、保持具５の締付け力によって保持具５に一体的に支持され、保持具５の締付け力解放によって保持具５から解放される。
【００２６】
図４（Ａ）〜図４（Ｄ）は、仮設支持装置４の構成を示す正面図、背面図、平面図及び底面図である。図５（Ａ）〜図５（Ｄ）は、図４及び図５のＩ−Ｉ線、II−II線、III−III線及びIV−IV線における断面図であり、図５（Ｅ）及び図５（Ｆ）は、仮設支持装置４の右側面図及び左側面図である。図６（Ａ）〜図６（Ｃ）は、仮設支持装置４を開放して天井吊りボルト２５に係合せしめる過程を示す横断面図である。図７（Ａ）〜図７（Ｃ）は、固定具５が天井吊りボルト２５に係合した状態を示す縦断面図及び平面図である。なお、図４（Ａ）、図４（Ｂ）、図５（全図）、図６（Ｂ）、図６（Ｃ）、図７（Ａ）及び図７（Ｂ）において、保持具５の図示は、図を簡略化すべく省略されている。
【００２７】
図４及び図５に示す如く、係留具６は、左右一対の係留部６１、６２を有し、係留部６１、６２は、枢動部６３によって枢動可能且つ開閉可能に連結される。枢動部６３の枢動軸線を中心に係留部６１、６２を枢動して係留部６１、６２を開放した状態が、図６（Ａ）に示されている。
【００２８】
各係留部６１、６２は、鉛直方向に延びる金属板の上縁及び下縁を枢動方向内側（閉鎖側）に屈曲し又は折曲げた箱形又は筐体形の金属部材からなる。係留部６１、６２は、鉛直壁６１ａ、６２ａ、上端屈曲部６１ｂ、６２ｂ及び下端屈曲部６１ｃ、６２ｃを有する。鉛直壁６１ａ、６２ａは、平行に延在して係留部６１、６２の外側鉛直面を形成する。下端屈曲部６１ｃ、６２ｃは、互い上下に重なり合った状態で接触又は近接し、上端屈曲部６１ｂ、６２ｂも、互い上下に重なり合った状態で接触又は近接する。
【００２９】
枢動部６３は、鉛直方向に延びる中心軸６３ａと、鉛直壁６１ａ、６２ａを枢動方向内方に付勢し又は押圧するトーションスプリング（ねじりコイルばね）６３ｂとを有する。係留部６１、６２は、トーションスプリング６３ｂの弾発力によって枢動方向内方（閉鎖方向）に付勢される。中心軸６３ａは、上端屈曲部６１ｂ、６２ｂ、トーションスプリング６３ｂおよび下端屈曲部６１ｃ、６２ｃを貫通し、上端部及び下端部の拡大部分６３ｃ、６３ｄによって上端屈曲部６１ｂ、６２ｂおよび下端屈曲部６１ｃ、６２ｃを拘束し、これにより、係留部６１、６２の枢軸（回動軸）を構成する。
【００３０】
図４及び図５には、係留部６１、６２の閉鎖位置が示されている。係留部６１、６２は、拘束具（ストッパ）６６によって閉鎖位置に拘束される。拘束具６６は、係留部６２に固定された支軸６６ａと、支軸６６ａを中心に揺動可能な揺動部６６ｂとから構成される。揺動部６６ｂは、枢動部６３と反対の側に位置する係留具６の端部上面及び端部側面を部分的に囲繞するとともに、開閉操作時に手指で把持する把持部６６ｃを備える。図４及び図５に示す拘束具６６の拘束位置では、揺動部６６ｂは、係留具６の端部上面及び端部側面に当接し、枢動部６３を中心とした係留部６１、６２の枢動（回動）を阻止する。
【００３１】
鉛直壁６１ａ、６２ａの内側面には、雌螺子半部７１、８１を備えた雌螺子部材７０、８０が配設される。雌螺子部材７０、８０は、ビス又は螺子等の固定手段７１、８１によって鉛直壁６１ａ、６２ａに固定される。雌螺子半部７１、８１は、吊りボルト２５の雄螺子（外螺子）に適合する雌螺子（内螺子）の半部である。図４及び図５に示す係留部６１、６２の閉鎖位置において、雌螺子半部７１、８１は対向し、吊りボルト２５の雄螺子に適合する実質的に単一の雌螺子を形成する。雌螺子半部７１、８１を合成した単一の雌螺子の中心軸線Ｘ−Ｘが、図５（Ａ）〜図５（Ｃ）に示されている。なお、「実質的に単一の雌螺子・・・」又は「実質的に吊りボルト２５の全周・・・」等の表現は、雌螺子半部７０、８０の間に若干の隙間又は不連続部分等が生じたとしても、概ね全周に亘って連続する螺子溝が形成されることを意味する。
【００３２】
係留具６は、中心軸線Ｘ−Ｘ上に整列した円形開口６ａ、６ｂを頂部及び底部に備える。円形開口６ａ、６ｂは、図７に示す如く、吊りボルト２５が係留具６を上下方向に貫通するための開口である。円形開口６ａ、６ｂは、上端屈曲部６１ｂ、６２ｂおよび下端屈曲部６１ｃ、６２ｃの縁部に切欠き部又は凹所等を形成することにより係留具６の頂部及び底部に形成される。
【００３３】
係留具６とともに仮設支持装置４を構成する保持具５は、前述のとおり、垂直壁６１ａに取付けられた単管足場用の緊締具（クランプ）からなる。保持具５は、垂直壁６１ａを水平に貫通する支軸５１を有し、支軸５１は、保持具５の本体を支軸５１の中心軸線を中心に回転可能に支持する。外螺子（雄螺子）を備えた支軸５１の先端部に螺着可能なナット６４（破線で示す）が、係留具６内に配置される。ナット６４は、係留具６内で支軸５１の先端外螺子部に螺着し、支軸５１は、ナット６４の締付け力によって垂直壁６１ａに固定される。なお、所望により、保持具５を垂直壁６２ａに取り付け、或いは、垂直壁６１ａ、６２ａの双方に取付けても良い。
【００３４】
次に、仮設支持装置４の使用方法について説明する。
【００３５】
拘束具６６の把持部６６ｃを手指で把持して揺動部６６ｂを図４（Ａ）及び図５（Ａ）に矢印αで示すように上方に揺動し、揺動部６６ｂによる係留具６の拘束を解除又は解放すると、係留部６１、６２を図６（Ａ）に示す如く開放することができる。枢動部６３の中心軸６３ａを中心に係留部６１、６２を枢動させる際、トーションスプリング６３ｂの弾発力が増大するので、係留部６１、６２の過剰な回動は、制限される。
【００３６】
係留部６１、６２を図６（Ａ）に示す如く開放し、吊りボルト２５（図６（Ａ）に破線で示す）に接近させ、図６（Ｂ）に示す如く、雌螺子半部７０、８０が吊りボルト２５に対向するように係留具６を位置決めした後、係留部６１、６２を閉鎖すると、図６（Ｃ）に示す如く、雌螺子半部７０、８０が吊りボルト２５の雄螺子に螺合し、雌螺子半部７０、８０が構成する単一の雌螺子が吊りボルト２５に螺着した状態が形成される。この状態で拘束具６６の把持部６６ｃを手指で把持して揺動部６６ｂを下方に揺動し、揺動部６６ｂにより係留部６１、６２を拘束すると、係留具６が吊りボルト２５に螺着した状態を維持することができる。但し、この状態は、係留具６が吊りボルト２５上で自由回転可能な状態である。
【００３７】
このようにして複数の係留具６を吊りボルト２５に係留した状態が図１〜図３に示されている。仮設支持装置４の使用においては、足場板２の支持するための横架材３の各端部が、係留具６に支持された保持具５に緊締（クランプ）され、両端支持梁の形態で天井裏空間Ｓに懸架される。足場板２の敷設方向と直交する方向に間隔を隔てて配置された保持具５によって横架材３の両端部が緊締され、各足場板２の端部が各横架材３上に敷設される。
【００３８】
足場板２の積載荷重及び自重は、横架材３を介して各保持具５に伝達し、係留具６を介して吊りボルト２５に伝達し、吊りボルト２５によって支持される。前述の如く、係留具６は、吊りボルト２５の雄螺子に螺着した状態であるので、吊りボルト２５の軸線を中心として自由回転し得るが、横架材３に締付けられた保持具５が係留具６の回転を拘束するので、係留具６の回転及び上下変位が拘束又は制限され、係留具６の位置は安定する。
【００３９】
かくして、足場板２が天井裏空間Ｓに配設されるが、本発明者等の載荷試験によれば、このような構成の仮設支持装置４は、足場支持手段として十分な強度を発揮することが確認された。
【００４０】
以上説明したとおり、仮設支持装置４は、枢動部６３によって枢動可能且つ開閉可能に連結した左右の係留部６１、６２からなる係留具６と、少なくとも一方の係留部６１、６２に取付けられ、足場板支持用の横架材３を解放可能に保持する保持具５とを有する。各々の係留部６１、６２の枢動方向内側には、天井吊りボルト２５の雄螺子に適合する雌螺子半部７０、８０が一体的に形成される。左右の係留部６１、６２の雌螺子半部７０、８０は、係留部６１、６２を枢動部６３によって閉じた状態において、実質的に吊りボルト２５の全周に亘って吊りボルト２５に螺着する雌螺子を協働して形成する。保持具５は、天井吊りボルト２５廻りの回転運動を横架材３及び保持具５の一体化によって拘束又は阻止されるとともに、雌螺子半部７０、８０及び天井吊りボルト２５の螺着によって天井吊りボルト２５に支持される。
【００４１】
このような構成によれば、左右の係留部６１、６２を閉じることにより、実質的に吊りボルト２５の全周に亘って吊りボルト２５に螺着する雌螺子が形成される。足場板２及び横架材３の荷重（足場荷重）は、保持具５を介して係留具６の雌螺子半部７０、８０に伝達する。雌螺子半部７０、８０は、実質的に吊りボルト２５の全周に亘って吊りボルト２５に螺着する雌螺子を構成するので、係留具６は、ナットと同様、足場荷重を吊りボルト２５に確実に伝達し、従って、吊りボルト２５は、足場荷重を確実に支持することができる。また、係留具６の回転は、横架材３及び保持具５の一体化によって拘束又は阻止されるので、係留具６が吊りボルト２５に対して回転する虞はなく、従って、仮設支持装置４の位置は、安定する。
【００４２】
図８は、係留部６１、６２の構造と関連した足場荷重伝達経路の相違を示す仮設支持装置４の概略断面図である。
【００４３】
図８（Ａ）には、吊りボルト２５を両側から挟み込む構成の係留具６が示されている。係留部６１、６２は、左右対称の断面を有し、上下に重なる部分を備えていない。また、図８（Ｂ）に示す係留具６は、図４〜図７に示す構造のものであり、係留部６１が係留部６２を全体的に囲む弁当箱形態の構成を有する。係留部６１の高さは係留部６２の高さよりも大きく、下端屈曲部６１ｃは、下端屈曲部６２ｃの下側に位置した状態で下端屈曲部６２ｃと重なり合い、上端屈曲部６１ｂは、上側屈曲部６２ｂの上側に位置した状態で上側屈曲部６２ｂと重なり合う。更に、図８（Ｃ）に示す係留具６は、同一高さの係留部６１、６２を段違いに配置した構成を有する。下端屈曲部６１ｃは、下端屈曲部６２ｃの上側に位置した形態で下端屈曲部６２ｃと重なり合い、上端屈曲部６１ｂも又、上側屈曲部６２ｂの上側に位置した形態で上側屈曲部６２ｂと重なり合う。
【００４４】
各図に示す横架材３の足場荷重Ｆは、荷重Ｐとして雌螺子半部７０、８０から吊りボルト２５に作用する。図８（Ａ）に示す係留具６では、足場荷重Ｆを係留部６１から係留部６２に伝達する伝達経路が限定されるので、荷重伝達経路に位置する部分を局所的に厚肉化し又は補強し、或いは、係留部６１、６２を全体的に厚肉化し又は高強度化する必要が生じる。他方、図８（Ｂ）に示す係留具６では、足場荷重Ｆの多くは、鉛直荷重Ｆ'として示す如く、上端屈曲部６１ｂ、６２ｂの重り部を介して係留部６２に伝達する。このため、図８（Ｂ）に示す係留具６においても、伝達経路が限定され、上端屈曲部６１ｂ、６２ｂの部分を厚肉化し又は補強し、或いは、係留部６１、６２を全体的に厚肉化し又は高強度化する必要が生じる。これに対し、図８（Ｃ）に示す係留具６では、鉛直荷重Ｆ"として示す如く、足場荷重Ｆの多くは、上端屈曲部６１ｂ、６２ｂの重なり部と、下端屈曲部６１ｃ、６２ｃの重なり部とを介して係留部６２に伝達する。このため、図８（Ｃ）に示す係留具６においては、荷重伝達経路が分散し、応力集中が生じ難いので、係留部６１、６２を局所的にも全体的にも厚肉化又は高強度化することなく製作し、機器重量の軽量化を図ることができる。
【００４５】
従って、係留具６を比較的薄い材料又は比較的低強度な材料で製作し、その軽量化を図るには、図８（Ａ）に示す挟み込む構成よりも、図８（Ｂ）に示す弁当箱形態の構成が好ましく、更に好ましくは、図８（Ｃ）に示す段違い形態の構成を採用することが望ましい。
【００４６】
以上、本発明の好適な実施形態について詳細に説明したが、本発明は、上記実施形態に限定されるものではなく、特許請求の範囲に記載された本発明の範囲内において種々の変更又は変形が可能であり、かかる変更又は変形例も又、本発明の範囲内に含まれるものであることはいうまでもない。
【００４７】
例えば、上記枢動部は、ヒンジ、蝶番等の他の構造のものに設計変更することも可能である。
【００４８】
また、上記トーションスプリング（ねじりコイルばね）に換えて、他の構造のばね又はゴム等を付勢手段又は押圧手段として使用しても良い。
【産業上の利用可能性】
【００４９】
本発明は、天井裏足場の仮設支持装置に適用され、殊に、既存建築物等の建築物の天井裏空間に工事用足場等の足場を天井吊りボルトによって支持するための天井裏足場の仮設支持装置に好ましく適用される。本発明の仮設支持装置によれば、天井裏足場を支持するための予備的又は付加的なナットを備えていない既存建築物の天井吊りボルトによって、天井裏足場を迅速且つ安定的に支持することができるので、その実用的価値は、顕著である。
【符号の説明】
【００５０】
１  天井裏足場
２  足場板
３  横架材
４  仮設支持装置
５  保持具
６  係留具
２５  天井吊りボルト
６１、６２  係留部
６３  枢動部
６６  拘束具（ストッパ）
７０、８０  雌螺子半部
Ｒ  室内空間
Ｓ  天井裏空間
【図１】
2018066118.tif 000003
【図２】
2018066118.tif 000004
【図３】
2018066118.tif 000005
【図４】
2018066118.tif 000006
【図５】
2018066118.tif 000007
【図６】
2018066118.tif 000008
【図７】
2018066118.tif 000009
【図８】
2018066118.tif 000010
【手続補正書】
【提出日】平成28年10月19日(2016.10.19)
【手続補正１】
【補正対象書類名】明細書
【補正対象項目名】０００５
【補正方法】変更
【補正の内容】
【０００５】
また、足場支持構造に関するものではないが、天井吊りボルトを用いた仮設支持方式の一種として、本出願人の一者が出願した特願２００５−３３５２５７号に係る特許第４７８１０９０号公報には、安全帯を天井吊りボルト等に係止するためのフック保持装置が記載されている。このフック保持装置は、天井吊りボルトに作業者等の安全帯のフックを係留するためのものである。フック保持装置は、一対の開閉板を有し、各開閉板には、雌螺子を分割した係止部が形成される。開閉板には、安全帯のフックを掛止可能なリング部が取付けられる。このフック保持装置においては、左右の開閉板を閉じて係止部を天井吊りボルトに係止すると、各開閉板の係止部を天井吊りボルトに係留することができる。作業者等は、安全帯のフックをリング部に掛止することにより、安全帯を天井吊りボルトに係留することができる。
【手続補正２】
【補正対象書類名】明細書
【補正対象項目名】０００９
【補正方法】変更
【補正の内容】
【０００９】
本発明は、このような事情に鑑みてなされたものであり、その目的とするところは、天井裏足場を支持するための予備的又は付加的なナットを備えていない既存建築物の天井吊りボルトによって、天井裏足場を迅速且つ安定的に支持することができる天井裏足場の仮設支持装置及びその構築方法を提供することにある。
【手続補正３】
【補正対象書類名】明細書
【補正対象項目名】００１７
【補正方法】変更
【補正の内容】
【００１７】
本発明の或る実施形態によれば、左右の係留部の双方に上記保持具が取付けられる。好ましくは、上記保持具は、単管足場用の緊締具（クランプ）からなり、上記横架材は、単管足場用の単管パイプである。
【手続補正４】
【補正対象書類名】明細書
【補正対象項目名】００１５
【補正方法】変更
【補正の内容】
【００１５】
本発明によれば、天井裏足場を支持するための予備的又は付加的なナットを備えていない既存建築物の天井吊りボルトによって、天井裏足場を迅速且つ安定的に支持することができる天井裏足場の仮設支持装置及びその構築方法を提供することができる。
【手続補正５】
【補正対象書類名】明細書
【補正対象項目名】００１６
【補正方法】変更
【補正の内容】
【００１６】
【図１】図１は、既存の鋼構造建築物に設けられた天井構造体の全体構成を示す斜視図である。
【図２】図２は、梁と平行な方向に切断した天井構造体の縦断面図ある。
【図３】図３は、梁と直交する方向に切断した天井構造体の縦断面図ある。
【図４】図４（Ａ）〜図４（Ｄ）は、仮設支持装置の構造を示す正面図、背面図、平面図及び底面図である。図４（Ａ）及び図４（Ｂ）において、クランプ（保持具）の図示は、省略されている。
【図５】図５（Ａ）〜図５（Ｄ）は、図４及び図５のＩ−Ｉ線、II−II線、III−III線及びIV−IV線における断面図であり、図５（Ｅ）及び図５（Ｆ）は、仮設支持装置の右側面図及び左側面図である。図５の各図において、クランプ（保持具）の図示は、省略されている。
【図６】図６（Ａ）〜図６（Ｃ）は、仮設支持装置を天井吊りボルトに係合する過程を示す横断面図である。
【図７】図７（Ａ）〜図７（Ｃ）は、仮設支持装置が天井吊りボルトに係合した状態を示す縦断面図及び平面図である。
【図８】図８は、仮設支持装置の構造と関連した足場荷重伝達経路の相違を示す仮設支持装置の概略断面図である。
【手続補正６】
【補正対象書類名】明細書
【補正対象項目名】００３７
【補正方法】変更
【補正の内容】
【００３７】
このようにして複数の係留具６を吊りボルト２５に係留した状態が図１〜図３に示されている。仮設支持装置４の使用においては、足場板２を支持するための横架材３の各端部が、係留具６に支持された保持具５に緊締（クランプ）され、両端支持梁の形態で天井裏空間Ｓに懸架される。足場板２の敷設方向と直交する方向に間隔を隔てて配置された保持具５によって横架材３の両端部が緊締され、各足場板２の端部が各横架材３上に敷設される。
【手続補正７】
【補正対象書類名】図面
【補正対象項目名】図５
【補正方法】変更
【補正の内容】
【図５】
2018066118.tif 000011
【手続補正８】
【補正対象書類名】図面
【補正対象項目名】図７
【補正方法】変更
【補正の内容】
【図７】
2018066118.tif 000012